(57)【要約】【課題】前方ディスプレイの表示の視認性を向上させることができる、表示システム、表示方法、及び表示プログラムを提供すること。【解決手段】前方ディスプレイ１１と後方ディスプレイ１２とが距離を隔てて重畳配置された表示システム１において、前方ディスプレイ１１の表示制御を行う前方制御部１３ａと、前方ディスプレイ１１を通して視認可能な後方ディスプレイ１２の表示制御を行う後方制御部１３ｂとを備え、後方制御部１３ｂは、後方ディスプレイ１２の表示態様と、前方ディスプレイ１１の表示態様とに基づき、後方ディスプレイ１２の少なくとも一部の領域の明度を制御する明度制御部１３ｃを備える。【選択図】図１
2013130840.tif 000002
【特許請求の範囲】
【請求項１】
複数のディスプレイが距離を隔てて重畳配置された表示システムにおいて、
前方ディスプレイの表示制御を行う前方制御手段と、
前記前方ディスプレイを通して視認可能な後方ディスプレイの表示制御を行う後方制御手段とを備え、
前記後方制御手段は、前記後方ディスプレイの表示態様と、前記前方ディスプレイの表示態様とに基づき、前記後方ディスプレイの少なくとも一部の領域の明度を制御する明度制御手段を備える、
表示システム。
【請求項２】
前記後方制御手段は、複数の仮想的な表示レイヤーを前記後方ディスプレイに重畳表示し、
前記明度制御手段は、前記複数の仮想的な表示レイヤーの中から前記前方ディスプレイ側から見て最前方に配置された仮想的な表示レイヤー以外の仮想的な表示レイヤーの表示態様と、前記前方ディスプレイの表示態様とに基づき、前記最前方に配置された仮想的な表示レイヤーの少なくとも一部の領域の明度を制御する、
請求項１に記載の表示システム。
【請求項３】
前記明度制御手段は、前記前方ディスプレイの表示態様に文字が含まれているか否かに基づき、前記最前方に配置された仮想的なレイヤーの少なくとも一部の領域の明度を制御する、
請求項２に記載の表示システム。
【請求項４】
前記明度制御手段は、前記最前方に配置された仮想的な表示レイヤー以外の仮想的な表示レイヤーの明度に基づき、前記最前方に配置された仮想的なレイヤーの少なくとも一部の領域の明度を制御する、
請求項２又は３に記載の表示システム。
【請求項５】
前記明度制御手段は、前記前方制御手段が前記前方ディスプレイの表示を更新する場合、又は前記後方制御手段が前記後方ディスプレイの表示を更新する場合に、前記後方ディスプレイの少なくとも一部の領域の明度を制御する、
請求項１から４のいずれか一項に記載の表示システム。
【請求項６】
複数のディスプレイが距離を隔てて重畳配置された表示システムを用いて表示を行うための表示方法であって、
前方ディスプレイの表示制御を行う前方制御ステップと、
前記前方ディスプレイを通して視認可能な後方ディスプレイの表示制御を行う後方制御ステップとを含み、
前記後方制御ステップは、前記後方ディスプレイの表示態様と、前記前方ディスプレイの表示態様とに基づき、前記後方ディスプレイの少なくとも一部の領域の明度を制御する明度制御ステップを含む、
表示方法。
【請求項７】
請求項６に記載の方法をコンピュータに実行させる表示プログラム。
【発明の詳細な説明】
【技術分野】
【０００１】
本発明は、表示システム、表示方法、及び表示プログラムに関する。
【背景技術】
【０００２】
従来、複数の液晶パネルを重畳配置して構成した多層表示装置（ＭＬＤ：Ｍｕｌｔｉ  Ｌａｙｅｒ  Ｄｉｓｐｌａｙ）が知られている。例えば、２枚の液晶パネルを重畳配置して構成したデュアルスクリーンディスプレイにおいて、後方スクリーン上に配置されている所定のターゲット画像要素と前方スクリーン上の画像要素とが重なる交差領域について前方スクリーンを透明にすることで、後方スクリーンに表示されるターゲット画像要素が見えるようにする方法が提案されている（例えば、特許文献１参照）。
【先行技術文献】
【特許文献】
【０００３】
【特許文献１】特表２００９−５１７６９８号公報
【発明の概要】
【発明が解決しようとする課題】
【０００４】
ところで、上述の如き従来の多層表示装置において最前方以外のスクリーン（例えばデュアルスクリーンディスプレイにおける後方スクリーン）に表示されている画像の明度が暗い場合、そのスクリーンの前方のスクリーン（例えばデュアルスクリーンディスプレイにおける前方スクリーン）に後方から入射する光量が少なくなるため、当該前方のスクリーンに表示されている画像の視認性が低下する可能性があった。しかしながら、上述の如き従来の方法は、交差領域について前方スクリーンを透明にすることで、後方スクリーンに表示されるターゲット画像要素が見えるようにするものに過ぎず、後方のスクリーンに表示されている画像の明度が暗い場合において、その前方のスクリーンに表示されている画像の視認性を向上させることが困難であった。このように従来の多層表示装置においては、視認性にさらなる向上の余地があった。
【０００５】
本発明は、上記に鑑みてなされたものであって、前方ディスプレイの表示の視認性を向上させることができる、表示システム、表示方法、及び表示プログラムを提供することを目的とする。
【課題を解決するための手段】
【０００６】
上述した課題を解決し、目的を達成するために、請求項１に記載の表示システムは、複数のディスプレイが距離を隔てて重畳配置された表示システムにおいて、前方ディスプレイの表示制御を行う前方制御手段と、前記前方ディスプレイを通して視認可能な後方ディスプレイの表示制御を行う後方制御手段とを備え、前記後方制御手段は、前記後方ディスプレイの表示態様と、前記前方ディスプレイの表示態様とに基づき、前記後方ディスプレイの少なくとも一部の領域の明度を制御する明度制御手段を備える。
【０００７】
また、請求項２に記載の表示システムは、請求項１に記載の表示システムにおいて、前記後方制御手段は、複数の仮想的な表示レイヤーを前記後方ディスプレイに重畳表示し、前記明度制御手段は、前記複数の仮想的な表示レイヤーの中から前記前方ディスプレイ側から見て最前方に配置された仮想的な表示レイヤー以外の仮想的な表示レイヤーの表示態様と、前記前方ディスプレイの表示態様とに基づき、前記最前方に配置された仮想的な表示レイヤーの少なくとも一部の領域の明度を制御する。
【０００８】
また、請求項３に記載の表示システムは、請求項２に記載の表示システムにおいて、前記明度制御手段は、前記前方ディスプレイの表示態様に文字が含まれているか否かに基づき、前記最前方に配置された仮想的なレイヤーの少なくとも一部の領域の明度を制御する。
【０００９】
また、請求項４に記載の表示システムは、請求項２又は３に記載の表示システムにおいて、前記明度制御手段は、前記最前方に配置された仮想的な表示レイヤー以外の仮想的な表示レイヤーの明度に基づき、前記最前方に配置された仮想的なレイヤーの少なくとも一部の領域の明度を制御する。
【００１０】
また、請求項５に記載の表示システムは、請求項１から４のいずれか一項に記載の表示システムにおいて、前記明度制御手段は、前記前方制御手段が前記前方ディスプレイの表示を更新する場合、又は前記後方制御手段が前記後方ディスプレイの表示を更新する場合に、前記後方ディスプレイの少なくとも一部の領域の明度を制御する。
【００１１】
また、請求項６に記載の表示方法は、複数のディスプレイが距離を隔てて重畳配置された表示システムを用いて表示を行うための表示方法であって、前方ディスプレイの表示制御を行う前方制御ステップと、前記前方ディスプレイを通して視認可能な後方ディスプレイの表示制御を行う後方制御ステップとを含み、前記後方制御ステップは、前記後方ディスプレイの表示態様と、前記前方ディスプレイの表示態様とに基づき、前記後方ディスプレイの少なくとも一部の領域の明度を制御する明度制御ステップを含む。
【００１２】
また、請求項７に記載の表示プログラムは、請求項６に記載の方法をコンピュータに実行させる
【発明の効果】
【００１３】
請求項１に記載の表示システム、請求項６に記載の表示方法、及び請求項７に記載の表示プログラムによれば、後方ディスプレイの表示態様と、前方ディスプレイの表示態様とに基づき、後方ディスプレイの少なくとも一部の領域の明度を制御するので、後方ディスプレイ及び前方ディスプレイの各表示態様に応じて後方ディスプレイから前方ディスプレイに入射する光量を適切に制御することができ、前方ディスプレイの表示の視認性を向上させることができる。
【００１４】
また、請求項２に記載の表示システムによれば、複数の仮想的な表示レイヤーの中から前方ディスプレイ側から見て最前方に配置された仮想的な表示レイヤー以外の仮想的な表示レイヤーの表示態様と、前方ディスプレイの表示態様とに基づき、最前方に配置された仮想的な表示レイヤーの少なくとも一部の領域の明度を制御するので、後方レイヤー及び前方ディスプレイの各表示態様に応じて後方ディスプレイから前方ディスプレイに入射する光量を適切に制御することができ、後方ディスプレイの表示制御に要する処理負荷の増大を抑制しつつ、前方ディスプレイの表示の視認性を向上させることができる。
【００１５】
また、請求項３に記載の表示システムによれば、前方ディスプレイの表示態様に文字が含まれているか否かに基づき、最前方に配置された仮想的なレイヤーの少なくとも一部の領域の明度を制御するので、前方ディスプレイの表示態様に文字が含まれている場合には後方ディスプレイから前方ディスプレイに入射する光量を増大させて文字を強調することができ、前方ディスプレイに表示される文字の視認性を向上させることができる。
【００１６】
また、請求項４に記載の表示システムによれば、最前方に配置された仮想的な表示レイヤー以外の仮想的な表示レイヤーの明度に基づき、最前方に配置された仮想的なレイヤーの少なくとも一部の領域の明度を制御するので、後方レイヤーの明度に応じて後方ディスプレイから前方ディスプレイに入射する光量を適切に制御することができ、前方ディスプレイの表示の視認性を向上させることができる。
【００１７】
また、請求項５に記載の表示システムによれば、前方制御手段が前方ディスプレイの表示を更新する場合、又は後方制御手段が後方ディスプレイの表示を更新する場合に、後方ディスプレイの少なくとも一部の領域の明度を制御するので、適切なタイミングで後方ディスプレイから前方ディスプレイに入射する光量を制御し、前方ディスプレイの表示の視認性を向上させることができる。
【図面の簡単な説明】
【００１８】
【図１】実施の形態に係る表示システムを例示するブロック図である。
【図２】前方ディスプレイ及び後方ディスプレイの配置を概略的に示した斜視図である。
【図３】前方ディスプレイ及び後方ディスプレイの表示を例示した正面図であり、図３（ａ）は前方ディスプレイの表示を例示した図、図３（ｂ）は後方ディスプレイの表示を例示した図、図３（ｃ）は重畳配置された前方ディスプレイ及び後方ディスプレイの前方から見た場合の表示を例示した図である。
【図４】強調要否テーブルに格納されている情報を例示した表である。
【図５】表示処理のフローチャートである。
【図６】明度制御処理のフローチャートである。
【図７】前方ディスプレイと、明度制御部により明度が制御された後方ディスプレイとを、概略的に示した斜視図である。
【図８】後方レイヤーに地図が表示されており、且つ前方ディスプレイの表示態様に文字が含まれる場合における、前方ディスプレイと、明度制御部により明度が制御された後方ディスプレイとを、概略的に示した正面図である。
【図９】後方レイヤーに地図が表示されており、且つ前方ディスプレイの表示態様に文字が含まれない場合における、前方ディスプレイと、明度制御部により明度が制御された後方ディスプレイとを、概略的に示した正面図である。
【発明を実施するための形態】
【００１９】
以下、本発明に係る表示システム、表示方法、及び表示プログラムの実施の形態について図面を参照しつつ詳細に説明する。ただし、この実施の形態によって本発明が限定されるものではない。なお、本発明に係る表示システム、表示方法、及び表示プログラムは、任意の目的に使用することができるが、以下の実施の形態では、カーナビゲーションシステムに適用した例を示す。
【００２０】
（構成）
最初に、実施の形態に係る表示システムの構成について説明する。図１は実施の形態に係る表示システムを例示するブロック図である。この図１に示すように、表示システム１は、タッチパネル１０、前方ディスプレイ１１、後方ディスプレイ１２、制御部１３、及びデータ記録部１４を備えている。
【００２１】
（構成−タッチパネル）
タッチパネル１０は、接触検出面を有する入力手段である。このタッチパネル１０は、透明又は半透明状に形成され、前方ディスプレイ１１の前面において当該前方ディスプレイ１１の表示面と重なり合うように設けられている。このタッチパネル１０としては、例えば抵抗膜方式や静電容量方式等による接触検出面を備えた公知のタッチパネルを使用することができる。
【００２２】
（構成−前方ディスプレイ及び後方ディスプレイ）
前方ディスプレイ１１及び後方ディスプレイ１２は、制御部１３の制御に基づき、各種の情報を表示する表示手段である。これらの前方ディスプレイ１１及び後方ディスプレイ１２は、例えば公知の液晶ディスプレイや有機ＥＬディスプレイの如きフラットパネルディスプレイを用いて構成されている。
【００２３】
図２は、前方ディスプレイ１１及び後方ディスプレイ１２の配置を概略的に示した斜視図である。この図２に示すように、前方ディスプレイ１１と後方ディスプレイ１２とは距離を隔てて重畳配置されている。ここで「前方」とは、前方ディスプレイ１１及び後方ディスプレイ１２における表示方向（図２における矢印の方向）を意味する。すなわち、後方ディスプレイ１２における表示面側に、前方ディスプレイ１１が重畳配置されている。
【００２４】
前方ディスプレイ１１は後方ディスプレイ１２の表示を透過可能なディスプレイ（例えば透明液晶ディスプレイや透明有機ＥＬディスプレイ）として構成されている。これにより、後方ディスプレイ１２の表示を前方ディスプレイ１１を通して視認可能である。すなわち、後方ディスプレイ１２の表示を前方ディスプレイ１１を透過させて、若しくは、後方ディスプレイ１２の表示を前方ディスプレイ１１の表示に重畳させて、表示可能である。
【００２５】
また、後方ディスプレイ１２が液晶ディスプレイである場合、図２に示すように、後方ディスプレイ１２を構成する液晶パネルの後方にバックライトが設けられる。このバックライトから発せられた光は、後方ディスプレイ１２の液晶パネルを介して当該後方ディスプレイ１２の前方に射出されて前方ディスプレイ１１に到達し、さらに前方ディスプレイ１１を介して当該前方ディスプレイ１１の前方に進行する。このように後方ディスプレイ１２から前方ディスプレイ１１に入射する光を前方ディスプレイ１１のバックライトとして利用することで、前方ディスプレイ１１の表示が視認可能となる。なお、有機ＥＬディスプレイを用いて後方ディスプレイ１２を構成した場合には、有機ＥＬディスプレイの各画素が自発光するため、バックライトは不要となる。
【００２６】
図３は前方ディスプレイ１１及び後方ディスプレイ１２の表示を例示した正面図であり、図３（ａ）は前方ディスプレイ１１の表示を例示した図、図３（ｂ）は後方ディスプレイ１２の表示を例示した図、図３（ｃ）は重畳配置された前方ディスプレイ１１及び後方ディスプレイ１２の前方から見た場合の表示を例示した図である。例えば図３（ａ）に示すように、前方ディスプレイ１１には各種アイコンが表示される。また、前方ディスプレイ１１におけるアイコン以外の領域は透明になるように設定される（例えば前方ディスプレイ１１が液晶ディスプレイを用いて構成されている場合、アイコン以外の領域の色が「白」に設定される）。また、図３（ｂ）に示すように、後方ディスプレイ１２には地図が表示される。この場合、図３（ｃ）に示すように、前方ディスプレイ１１におけるアイコン以外の領域では後方ディスプレイ１２に表示されている地図を前方ディスプレイ１１を透過させて表示可能となっている。また、前方ディスプレイ１１におけるアイコンの領域では、後方ディスプレイ１２に表示されている地図を前方ディスプレイ１１に表示されているアイコンに重畳させて表示可能となっている（すなわち、前方ディスプレイ１１のアイコンと後方ディスプレイ１２の地図とが重なって見える）。
【００２７】
（構成−制御部）
図１に戻り、制御部１３は、表示システム１の各部を制御するための制御手段であり、具体的には、ＣＰＵ、当該ＣＰＵ上で解釈実行される各種のプログラム（ＯＳなどの基本制御プログラムや、ＯＳ上で起動され特定機能を実現するアプリケーションプログラムを含む）、及びプログラムや各種のデータを格納するためのＲＡＭの如き内部メモリを備えて構成されるコンピュータである。特に、本実施の形態に係る表示プログラムは、任意の記録媒体又はネットワークを介して表示システム１にインストールされることで、制御部１３の各部を実質的に構成する。
【００２８】
この制御部１３は、機能概念的に、前方制御部１３ａ、及び後方制御部１３ｂを備えている。前方制御部１３ａは、前方ディスプレイ１１の表示制御を行う前方制御手段である。後方制御部１３ｂは、前方ディスプレイ１１を通して視認可能な後方ディスプレイ１２の表示制御を行う後方制御手段である。この後方制御部１３ｂは、仮想的に重畳された複数の表示レイヤー毎の表示制御を行う。本実施の形態では、図２に例示するように、後方ディスプレイ１２において仮想的に重畳された２つの表示レイヤー（最前方レイヤー及び後方レイヤー）のそれぞれを後方制御部１３ｂが表示制御する場合を例として説明する。また、図１に示すように、後方制御部１３ｂは明度制御部１３ｃを備えている。この明度制御部１３ｃは、後方ディスプレイ１２の表示態様と、前方ディスプレイ１１の表示態様とに基づき、後方ディスプレイ１２の少なくとも一部の領域の明度を制御する明度制御手段である。これらの制御部１３の各部によって実行される処理の詳細については後述する。
【００２９】
（構成−データ記録部）
データ記録部１４は、表示システム１の動作に必要なプログラム及び各種のデータを記録する記録手段であり、例えば、外部記憶装置としてのハードディスク（図示省略）の如き磁気的記録媒体を用いて構成されている。ただし、ハードディスクに代えてあるいはハードディスクと共に、フラッシュメモリの如き半導体型記憶媒体、又はＤＶＤやブルーレイディスクの如き光学的記録媒体を含む、その他の任意の記録媒体を用いることができる。
【００３０】
このデータ記録部１４は、強調要否テーブル１４ａを備えている。強調要否テーブル１４ａは、前方ディスプレイ１１の表示を強調する必要があるか否かを特定する強調要否情報を格納する強調要否情報格納手段である。図４は、強調要否テーブル１４ａに格納されている情報を例示した表である。この図４に示すように、強調要否テーブル１４ａには、項目「表示態様」、「文字」、及び「強調要否」に対応する情報が、相互に関連付けて格納されている。この内、項目「表示態様」に対応して格納される情報は、前方ディスプレイ１１の表示態様を特定する情報であり、例えば前方ディスプレイ１１に表示されている画像の種別を特定する情報が格納される（図４では「アイコン」「リスト」「動画」等）。項目「文字」に対応して格納される情報は、前方ディスプレイ１１の表示態様に文字が含まれているか否かを特定するための文字有無情報であり、図４の例では前方ディスプレイ１１の表示態様に文字が含まれている場合について「含む」、前方ディスプレイ１１の表示態様に文字が含まれていない場合について「含まない」が格納されている。項目「強調要否」に対応して格納される情報は、前方ディスプレイ１１の表示を強調する必要があるか否かを特定する強調要否情報であり、図４の例では、前方ディスプレイ１１の表示を強調する必要がある場合について「要」、前方ディスプレイ１１の表示を強調する必要がない場合について「不要」が格納されている。
【００３１】
（処理）
次に、このように構成された表示システム１によって実行される表示処理について説明する。図５は表示処理のフローチャートである（以下の各処理の説明ではステップを「Ｓ」と略記する）。この表示処理は、例えばナビゲーションアプリケーションやＨＭＩ（Ｈｕｍａｎ  Ｍａｃｈｉｎｅ  Ｉｎｔｅｒｆａｃｅ）アプリケーション（いずれも図示省略）等により、前方ディスプレイ１１及び後方ディスプレイ１２の全体として何を表示するのかが決定された場合に、繰り返し実行される。
【００３２】
図５に示すように、表示処理が開始されると、前方制御部１３ａは前方ディスプレイ１１の表示態様を決定する（ＳＡ１）。例えば前方制御部１３ａは、ナビゲーションアプリケーションやＨＭＩアプリケーションにより決定された表示の中で前方ディスプレイ１１に表示させるべき画像や文字等（図３の例ではアイコン）を、前方ディスプレイ１１の表示態様として決定する。ここで「表示態様」とは、前方ディスプレイ１１や後方ディスプレイ１２における表示の状態や内容を含む概念であり、より詳細には、前方ディスプレイ１１や後方ディスプレイ１２における表示の明度、色、形状、種別や、当該表示としての画像、文字、情報等の内容を含む。
【００３３】
続いて、後方制御部１３ｂは後方ディスプレイ１２の表示態様を決定する（ＳＡ２）。例えば後方制御部１３ｂは、ナビゲーションアプリケーションやＨＭＩアプリケーションにより決定された表示の中で後方ディスプレイ１２に表示させるべき画像や文字等（図３の例では地図）を、後方ディスプレイ１２の表示態様として決定する。
【００３４】
次に制御部１３は、ＳＡ１で決定した前方ディスプレイ１１の表示態様、及びＳＡ２で決定した後方ディスプレイ１２の表示態様に基づき、前方ディスプレイ１１及び後方ディスプレイ１２の両方の表示を更新することが不要か否かを判定する（ＳＡ３）。例えば制御部１３は、現在の前方ディスプレイ１１の表示態様と、ＳＡ１で決定した前方ディスプレイ１１の表示態様とが同じであり、且つ、現在の後方ディスプレイ１２の表示態様と、ＳＡ２で決定した後方ディスプレイ１２の表示態様とが同じである場合に、前方ディスプレイ１１及び後方ディスプレイ１２の両方の表示を更新することが不要と判定する。
【００３５】
その結果、前方ディスプレイ１１及び後方ディスプレイ１２の両方の表示を更新することが不要である場合（ＳＡ３、Ｙｅｓ）、現在の表示を維持することとし、制御部１３は表示処理を終了する。
【００３６】
一方、前方ディスプレイ１１及び後方ディスプレイ１２の両方の表示を更新することが不要ではない場合（ＳＡ３、Ｎｏ）、すなわち前方ディスプレイ１１又は後方ディスプレイ１２の少なくとも一方の表示を更新することが必要である場合、前方制御部１３ａは、ＳＡ１で決定した前方ディスプレイ１１の表示態様に基づき、前方ディスプレイ１１の表示を更新する必要があるか否かを判定する（ＳＡ４）。例えば前方制御部１３ａは、現在の前方ディスプレイ１１の表示態様と、ＳＡ１で決定した前方ディスプレイ１１の表示態様とが異なる場合に、前方ディスプレイ１１の表示を更新する必要があると判定する。
【００３７】
その結果、前方ディスプレイ１１の表示を更新する必要がある場合（ＳＡ４、Ｙｅｓ）、前方制御部１３ａは、ＳＡ１で決定した表示態様で前方ディスプレイ１１に表示を行わせるための表示データを生成する（ＳＡ５）。図３の例では、前方制御部１３ａは前方ディスプレイ１１に表示させる各アイコンの画像データをデータ記録部１４から取得し、各画像データを前方ディスプレイ１１の所定の位置に表示するための表示データを生成する。
【００３８】
図５に戻り、ＳＡ５の処理の後、又は、ＳＡ４において、前方ディスプレイ１１の表示を更新する必要がない場合（ＳＡ４、Ｎｏ）、例えば現在の前方ディスプレイ１１の表示態様と、ＳＡ１で決定した前方ディスプレイ１１の表示態様とが同じである場合、後方制御部１３ｂは、ＳＡ２で決定した後方ディスプレイ１２の表示態様に基づき、後方ディスプレイ１２の表示を更新する必要があるか否かを判定する（ＳＡ６）。例えば後方制御部１３ｂは、現在の後方ディスプレイ１２の表示態様と、ＳＡ２で決定した後方ディスプレイ１２の表示態様とが異なる場合に、後方ディスプレイ１２の表示を更新する必要があると判定する。
【００３９】
その結果、後方ディスプレイ１２の表示を更新する必要がある場合（ＳＡ６、Ｙｅｓ）、後方制御部１３ｂは、ＳＡ２で決定した表示態様で後方ディスプレイ１２に表示を行わせるための表示データの内、最前方レイヤー以外のレイヤー（すなわち本実施の形態では後方レイヤー）に表示を行わせるための表示データを生成する（ＳＡ７）。図３の例では、後方制御部１３ｂは後方レイヤーに表示させる地図の画像データをデータ記録部１４から取得し、当該画像データを後方レイヤーの所定の位置に表示するための表示データを生成する。
【００４０】
図５に戻り、ＳＡ６において、後方ディスプレイ１２の表示を更新する必要がない場合（ＳＡ６、Ｎｏ）、例えば現在の後方ディスプレイ１２の表示態様と、ＳＡ２で決定した後方ディスプレイ１２の表示態様とが同じである場合、又は、ＳＡ７の処理の後、明度制御部１３ｃは、最前方レイヤーの少なくとも一部の領域の明度を制御するための明度制御処理を実行する（ＳＡ８）。
【００４１】
（処理−明度制御処理）
ここで、明度制御処理について説明する。図６は、明度制御処理のフローチャートである。
【００４２】
図６に示すように、明度制御処理が開始されると、明度制御部１３ｃは後方レイヤーに地図が表示されるか否かを判定する（ＳＢ１）。例えば明度制御部１３ｃは、現在の後方レイヤーに地図が表示されている場合において後方ディスプレイ１２の表示を更新する必要がない場合や、ＳＡ７において地図の画像データを後方レイヤーの所定の位置に表示するための表示データを生成した場合、明度制御部１３ｃは後方レイヤーに地図が表示されると判定する。
【００４３】
その結果、後方レイヤーに地図が表示されない場合（ＳＢ１、Ｎｏ）、明度制御部１３ｃは、後方レイヤーの明度が「中」に該当するか否かを判定する（ＳＢ２）。ここで「明度」とは、後方レイヤーにおける表示色の明るさを意味する値であり、例えば後方ディスプレイ１２が２４ｂｉｔのＲＧＢカラーモデルを用いている場合、０から２５５までの整数値（０が最も暗く、２５５が最も明るい）で表すことができる。本実施の形態では、明度を１０段階（１が最も暗く、１０が最も明るい）に分割し、明度が１から３の場合が「暗」、４から７の場合が「中」、８から１０の場合が「明」であるものとする。すなわち、後方レイヤーの明度が４から７の場合、明度制御部１３ｃは後方レイヤーの明度が「中」に該当すると判定する。
【００４４】
その結果、後方レイヤーの明度が「中」に該当しない場合（すなわち後方レイヤーの明度が「暗」又は「明」である場合）（ＳＢ２、Ｎｏ）、明度制御部１３ｃは、後方レイヤーの明度が「明」に該当するか否かを判定する（ＳＢ３）。
【００４５】
その結果、後方レイヤーの明度が「明」に該当する場合（ＳＢ３、Ｙｅｓ）、明度制御部１３ｃは、最前方レイヤーを透明化する（ＳＢ４）。すなわち明度制御部１３ｃは、後方レイヤーの表示がそのまま後方ディスプレイ１２の表示として出力されるようにする。
【００４６】
図７は、前方ディスプレイ１１と、明度制御部１３ｃにより明度が制御された後方ディスプレイ１２とを、概略的に示した斜視図である。後方レイヤーの明度が「明」に該当する場合、後方レイヤーの表示をそのまま後方ディスプレイ１２の表示として出力しても、後方ディスプレイ１２から前方ディスプレイ１１に入射する光量を十分確保することができるので、前方ディスプレイ１１の表示の視認性が低下する可能性は低いと考えられる。そこで、明度制御部１３ｃは図７（ａ）に例示するように、最前方レイヤーを透明化し、後方レイヤーの表示がそのまま後方ディスプレイ１２の表示として出力されるようにする。
【００４７】
図６に戻り、後方レイヤーの明度が「明」に該当しない場合（すなわち後方レイヤーの明度が「暗」である場合）（ＳＢ３、Ｎｏ）、明度制御部１３ｃは、少なくとも一部の領域において最前方レイヤーを白抜きにする（ＳＢ５）。例えば明度制御部１３ｃは、図５のＳＡ１で決定された前方ディスプレイ１１の表示態様に基づき、前方ディスプレイ１１においてアイコンやメニューウィンドウ等の画像が表示される領域を特定し、当該特定した領域に対応する領域（例えば当該特定した領域と重なる領域）において最前方レイヤーの明度を最大とすることで、当該領域が白抜きとなるようにする。
【００４８】
後方レイヤーの明度が「暗」に該当する場合、後方レイヤーの表示をそのまま後方ディスプレイ１２の表示として出力すると、後方ディスプレイ１２から前方ディスプレイ１１に入射する光量を十分確保することができず、前方ディスプレイ１１の表示の視認性が低下する可能性が高いと考えられる。そこで、明度制御部１３ｃは図７（ｃ）に例示するように、前方ディスプレイ１１においてアイコンやメニューウィンドウ等の画像が表示される領域に対応する領域において最前方レイヤーが白抜きとなるようにし、後方ディスプレイ１２から前方ディスプレイ１１に入射する光量を増大させることで、前方ディスプレイ１１の表示の視認性を向上させている。
【００４９】
図６に戻り、ＳＢ１において、後方レイヤーに地図が表示される場合（ＳＢ１、Ｙｅｓ）、又はＳＢ２において、後方レイヤーの明度が「中」に該当する場合（ＳＢ２、Ｙｅｓ）、明度制御部１３ｃは、図５のＳＡ１で決定された前方ディスプレイ１１の表示態様に文字が含まれるか否かを判定する（ＳＢ６）。具体的には、明度制御部１３ｃは強調要否テーブル１４ａを参照し、前方ディスプレイ１１の表示態様に対応する文字有無情報に基づき、前方ディスプレイ１１の表示態様に文字が含まれるか否かを判定する。図４の例では、前方ディスプレイ１１の表示態様が「アイコン」である場合や「動画」である場合には、これらの表示態様には文字が含まれないと判定し、前方ディスプレイ１１の表示態様が「リスト」である場合には表示態様に文字が含まれると判定する。
【００５０】
図６に戻り、図５のＳＡ１で決定された前方ディスプレイ１１の表示態様に文字が含まれる場合（ＳＢ６、Ｙｅｓ）、当該文字を強調する必要があるものとし、明度制御部１３ｃは、少なくとも一部の領域において最前方レイヤーを白抜きにする（ＳＢ７）。例えば明度制御部１３ｃは、図５のＳＡ１で決定された前方ディスプレイ１１の表示態様に基づき、前方ディスプレイ１１において文字が表示される領域を特定し、当該特定した領域に対応する領域（例えば当該特定した領域と重なる領域）において最前方レイヤーの明度を最大とすることで、当該領域が白抜きとなるようにする。
【００５１】
図８は、後方レイヤーに地図が表示されており、且つ前方ディスプレイ１１の表示態様に文字が含まれる場合における、前方ディスプレイ１１と、明度制御部１３ｃにより明度が制御された後方ディスプレイ１２とを、概略的に示した正面図である。図８（ａ）に示すように前方ディスプレイ１１の表示態様（図８（ａ）ではリスト）に文字が含まれる場合、文字の視認性を確保するためには、後方ディスプレイ１２から前方ディスプレイ１１に入射する光量を増大させ、文字を強調することが必要と考えられる。そこで、明度制御部１３ｃは図８（ｂ）に例示するように、前方ディスプレイ１１において文字が表示される領域に対応する領域において最前方レイヤーが白抜きとなるようにし、後方ディスプレイ１２から前方ディスプレイ１１に入射する光量を増大させることで、前方ディスプレイ１１の文字が強調されるようにしている。
【００５２】
図６に戻り、図５のＳＡ１で決定された前方ディスプレイ１１の表示態様に文字が含まれない場合（ＳＢ６、Ｎｏ）、明度制御部１３ｃは、少なくとも一部の領域において最前方レイヤーを白半透明にする（ＳＢ８）。例えば明度制御部１３ｃは、図５のＳＡ１で決定された前方ディスプレイ１１の表示態様に基づき、前方ディスプレイ１１においてアイコンやメニューウィンドウ等の画像が表示される領域を特定し、当該特定した領域に対応する領域（例えば当該特定した領域と重なる領域）において最前方レイヤーの明度を所定値とすることで、当該領域が半透明となるようにする。
【００５３】
図９は、後方レイヤーに地図が表示されており、且つ前方ディスプレイ１１の表示態様に文字が含まれない場合における、前方ディスプレイ１１と、明度制御部１３ｃにより明度が制御された後方ディスプレイ１２とを、概略的に示した正面図である。図９（ｂ）に示すように後方レイヤーに地図が表示されている場合において、図９（ａ）に示すように前方ディスプレイ１１の表示態様（図９（ａ）ではアイコン）に文字が含まれない場合、後方レイヤーの表示をそのまま後方ディスプレイ１２の表示として出力すると、後方ディスプレイ１２から前方ディスプレイ１１に入射する光量が十分ではなく、前方ディスプレイ１１の表示の視認性が低下する可能性がある。一方で、前方ディスプレイ１１においてアイコンやメニューウィンドウ等の画像が表示される領域に対応する領域において最前方レイヤーを完全な白抜きとすると、当該領域における地図が見えなくなってしまう。そこで図９に例示するように、前方ディスプレイ１１においてアイコンやメニューウィンドウ等の画像が表示される領域に対応する領域において最前方レイヤーが白半透明となるようにすることで、前方ディスプレイ１１の表示の視認性を確保しつつ、後方ディスプレイ１２の地図も視認可能としている。
【００５４】
また、後方レイヤーの明度が「中」に該当する場合、後方レイヤーの表示をそのまま後方ディスプレイ１２の表示として出力すると、後方ディスプレイ１２から前方ディスプレイ１１に入射する光量が十分ではなく、前方ディスプレイ１１の表示の視認性が低下する可能性がある。一方で、前方ディスプレイ１１においてアイコンやメニューウィンドウ等の画像が表示される領域に対応する領域において最前方レイヤーを完全な白抜きとすると、当該領域における後方ディスプレイ１２の表示が見えなくなってしまう。そこで図７（ｂ）に例示するように、前方ディスプレイ１１においてアイコンやメニューウィンドウ等の画像が表示される領域に対応する領域において最前方レイヤーが白半透明となるようにすることで、前方ディスプレイ１１の表示の視認性を確保しつつ、後方ディスプレイ１２の表示も視認可能としている。
【００５５】
図６に戻り、ＳＢ４、ＳＢ５、ＳＢ７、又はＳＢ８の処理の後、明度制御部１３ｃは明度制御処理を終了し、メインルーチンに戻る。
【００５６】
図５に戻り、ＳＡ８で明度制御処理を実行した後、後方制御部１３ｂは、明度制御処理における最前方レイヤーの明度制御結果に基づき、ＳＡ２で決定した表示態様で後方ディスプレイ１２に表示を行わせるための表示データの内、最前方レイヤーに表示を行わせるための表示データを生成する（ＳＡ９）。図３の例では、後方レイヤーに地図が表示されており、且つ前方ディスプレイ１１の表示態様がアイコンであって文字が含まれないことから、後方制御部１３ｂは、図３（ｂ）に示すように前方ディスプレイ１１でアイコンの画像が表示される領域に対応する領域において最前方レイヤーが白半透明となるような表示データを生成する。
【００５７】
図５に戻り、ＳＡ９の処理の後、前方制御部１３ａはＳＡ５で生成した表示データに基づき前方ディスプレイ１１の表示制御を行い、後方制御部１３ｂはＳＡ７で生成した表示データに基づき後方ディスプレイ１２の後方レイヤーの表示制御を行うと共に、ＳＡ９で生成した表示データに基づき後方ディスプレイ１２の最前方レイヤーの表示制御を行う（ＳＡ１０）。これにより、前方ディスプレイ１１及び後方ディスプレイ１２によって各表示データに対応する表示出力が行われる。ＳＡ１０の処理の後、制御部１３は表示処理を終了する。
【００５８】
（効果）
このように実施の形態によれば、後方ディスプレイ１２の表示態様と、前方ディスプレイ１１の表示態様とに基づき、後方ディスプレイ１２の少なくとも一部の領域の明度を制御するので、後方ディスプレイ１２及び前方ディスプレイ１１の各表示態様に応じて後方ディスプレイ１２から前方ディスプレイ１１に入射する光量を適切に制御することができ、前方ディスプレイ１１の表示の視認性を向上させることができる。
【００５９】
また、複数の仮想的な表示レイヤーの中から前方ディスプレイ１１側から見て最前方に配置された仮想的な表示レイヤー以外の仮想的な表示レイヤーの表示態様と、前方ディスプレイ１１の表示態様とに基づき、最前方に配置された仮想的な表示レイヤーの少なくとも一部の領域の明度を制御するので、後方レイヤー１２及び前方ディスプレイ１１の各表示態様に応じて後方ディスプレイ１２から前方ディスプレイ１１に入射する光量を適切に制御することができ、後方ディスプレイ１２の表示制御に要する処理負荷の増大を抑制しつつ、前方ディスプレイ１１の表示の視認性を向上させることができる。
【００６０】
また、前方ディスプレイ１１の表示態様に文字が含まれているか否かに基づき、最前方に配置された仮想的なレイヤーの少なくとも一部の領域の明度を制御するので、前方ディスプレイ１１の表示態様に文字が含まれている場合には後方ディスプレイ１２から前方ディスプレイ１１に入射する光量を増大させて文字を強調することができ、前方ディスプレイ１１に表示される文字の視認性を向上させることができる。
【００６１】
また、最前方に配置された仮想的な表示レイヤー以外の仮想的な表示レイヤーの明度に基づき、最前方に配置された仮想的なレイヤーの少なくとも一部の領域の明度を制御するので、後方レイヤーの明度に応じて後方ディスプレイ１２から前方ディスプレイ１１に入射する光量を適切に制御することができ、前方ディスプレイ１１の表示の視認性を向上させることができる。
【００６２】
また、前方制御部１３ａが前方ディスプレイ１１の表示を更新する場合、又は後方制御部１３ｂが後方ディスプレイ１２の表示を更新する場合に、後方ディスプレイ１２の少なくとも一部の領域の明度を制御するので、適切なタイミングで後方ディスプレイ１２から前方ディスプレイ１１に入射する光量を制御し、前方ディスプレイ１１の表示の視認性を向上させることができる。
【００６３】
〔実施の形態に対する変形例〕
以上、本発明に係る実施の形態について説明したが、本発明の具体的な構成及び手段は、特許請求の範囲に記載した各発明の技術的思想の範囲内において、任意に改変及び改良することができる。以下、このような変形例について説明する。
【００６４】
（解決しようとする課題や発明の効果について）
まず、発明が解決しようとする課題や発明の効果は、上述の内容に限定されるものではなく、発明の実施環境や構成の細部に応じて異なる可能性があり、上述した課題の一部のみを解決したり、上述した効果の一部のみを奏することがある。
【００６５】
（表示システムについて）
上述の実施の形態では、前方ディスプレイ１１と後方ディスプレイ１２が距離を隔てて重畳配置された表示システム１について説明したが、このような２枚のディスプレイを重畳配置する場合に限らず、３枚以上の複数のディスプレイが距離を隔てて重畳配置された表示システムにも本発明を同様に適用することができる。
【００６６】
（後方制御部について）
上述の実施の形態では、後方ディスプレイ１２において仮想的に重畳された２つの表示レイヤー（最前方レイヤー及び後方レイヤー）のそれぞれを後方制御部１３ｂが表示制御する場合を例として説明したが、仮想的に重畳された３以上の表示レイヤーのそれぞれを後方制御部１３ｂが表示制御するようにしてもよい。この場合、上述の実施の形態における「後方レイヤー」に代えて、後方制御部１３ｂは「最前方レイヤー以外のレイヤー」のそれぞれを表示制御する。
【００６７】
また、仮想的に重畳された複数の表示レイヤーを設定せず、後方ディスプレイ１２を単一のレイヤーとして後方制御部１３ｂが表示制御するようにしてもよい。この場合、後方制御部１３ｂは図５の表示処理におけるＳＡ６及びＳＡ７を省略すると共に、図６の明度制御処理においては、後方ディスプレイ１２に地図が表示されるか否か（ＳＢ１）、あるいは後方ディスプレイ１２の明度（ＳＢ２、ＳＢ３）に基づき、後方ディスプレイ１２の少なくとも一部の領域（前方ディスプレイ１１においてアイコンやメニューウィンドウ等の画像や文字等が表示される領域と重なる領域）の明度を制御する。
【００６８】
（表示処理について）
上述の実施の形態では、図５の表示処理のＳＡ３、ＳＡ４及びＳＡ６において、前方ディスプレイ１１及び後方ディスプレイ１２の表示を更新する必要があるか否かを判定する場合を例として説明したが、これらのＳＡ３、ＳＡ４及びＳＡ６の処理を省略し、前方ディスプレイ１１及び後方ディスプレイ１２の表示が更新されるか否かに関わらず、ＳＡ５、及びＳＡ７からＳＡ１０の処理を実行するようにしてもよい。
【符号の説明】
【００６９】
１  表示システム
１０  タッチパネル
１１  前方ディスプレイ
１２  後方ディスプレイ
１３  制御部
１３ａ  前方制御部
１３ｂ  後方制御部
１３ｃ  明度制御部
１４  データ記録部
１４ａ  強調要否テーブル
【図１】
2013130840.tif 000003
【図２】
2013130840.tif 000004
【図３】
2013130840.tif 000005
【図４】
2013130840.tif 000006
【図５】
2013130840.tif 000007
【図６】
2013130840.tif 000008
【図７】
2013130840.tif 000009
【図８】
2013130840.tif 000010
【図９】
2013130840.tif 000011